(57)【要約】【課題】従来、プラグ装置本体を固定する回転固定体と、突出端子を導電線に接触するカム部を同軸に設けたことにより、回転固定体を突出端子部材の中間部に設け、回転固定体の操作レバー、突出端子部材、カム部を大型にする必要があり、また、アース接続線を安全に設けることもできない等の課題があった。【解決手段】ライティングダクトに対して、プラグ固定回転軸１２を中心に回転してプラグ固定溝に両端部が嵌合する回転固定体１０と、回転固定体１０に対して離れた位置にカム回転軸８を中心に回転して突出端子３２を導電線に接触するようになしたカム接続体３０とを設けてなるライティングダクト用プラグ装置。【選択図】　　　　　　図１
2004095505.tif 000002
【特許請求の範囲】
【請求項１】
長手方向に沿って左右対称に平行して導電線とプラグ固定溝とを設けたライティングダクトに対して、プラグ固定回転軸を中心に回転してプラグ固定溝に両端部が嵌合する回転固定体と、回転固定体に対して長手方向に沿って離れた位置にカム回転軸を中心に前記回転固定体の回転に伴って回転してカム接触弾力に抗して先端部の突出端子を導電線に接触するようになしたカム接続体とを設けてなるライティングダクト用プラグ装置。
【請求項２】
請求項１に記載のライティングダクト用プラグ装置において、カム接続体が、先端部に突出端子を有する被退方向のばね弾力を付勢した二片一対の突出端子部材の中間部に、前記カム回転軸を有することからなるライティングダクト用プラグ装置。
【請求項３】
請求項１又は２に記載のライティングダクト用プラグ装置において、カム接続体のカムレバーを回転固定体の回転域に延設し、回転固定体の回転に伴ってカムレバーを回転して回転固定体の着脱と突出端子の着脱を連動せしめてなるライティングダクト用プラグ装置。
【請求項４】
請求項１、２又は３に記載のライティングダクト用プラグ装置において、カム接続体又は回転固定体の回転域に、カム接続体又は回転固定体の回転範囲を規制するストッパを設けてなるライティングダクト用プラグ装置。
【請求項５】
請求項１乃至４のいずれかに記載のライティングダクト用プラグ装置において、カム接続体及び突出端子部材に、回転固定部材とは独立に突出端子の突出部を除いて覆うカバー体を設けてなるライティングダクト用プラグ装置。
【請求項６】
請求項１乃至５のいずれかに記載のライティングダクト用プラグ装置において、プラグ固定回転軸の先端部に位置して、回転固定体の頂部にプラグ固定回転軸を貫通して設けたアース線のアース接続端子を設けてなるライティングダクト用プラグ装置。
【発明の詳細な説明】
【０００１】
【発明の属する技術分野】
本発明は、ライティングダクト用プラグ装置に関する。
【０００２】
【従来の技術】
従来、長手方向に沿って左右対称に平行して導電線とプラグ固定溝とを設けたライティングダクトに対して、回転固定体を回転してプラグ固定溝に両端部を嵌合してプラグ装置本体を固定すると共に、回転固定体と同軸に設けたカム部を一体に回転して先端部に突出端子を有する閉脚被退方向のばね弾力を付勢した二片一対の突出端子部材の中間部を押しひろげて、先端部の突出端子を導電線に接触するようになしたライティングダクト用プラグ装置は、平成１年実用新案出願公開第７７８９号公報に記載のように知られている。
【０００３】
【発明が解決しようとする課題】
従来のライティングダクト用プラグ装置では、プラグ装置本体を固定する回転固定体と、突出端子を導電線に接触するカム部を同軸に設けたことにより、回転固定体を二片一対の突出端子部材の中間部に設けなければならないから、回転固定体の操作レバーがプラグ装置本体と重なり合って操作し難いと共に大型にする必要があり、また、二片一対の突出端子部材も大型にする必要があり、カム部も大きくする必要があった。また、回転固定体に突出端子部材に接触するカム部を設けたことにより、回転固定体の中心軸を貫通してアース接続線を安全に設けることもできない等の課題があった。
【０００４】
【課題を解決するための手段】
そこで本発明は、請求項１に記載のように、長手方向に沿って左右対称に平行して導電線とプラグ固定溝とを設けたライティングダクトに対して、プラグ固定回転軸を中心に回転してプラグ固定溝に両端部が嵌合するプラグ装置本体を固定する回転固定体と、回転固定体に対して長手方向に沿って離れた位置にカム回転軸を中心に前記回転固定体の回転に伴って回転してカム接触弾力に抗して先端部の突出端子を導電線に接触するようになしたカム接続体とを設けてなるライティングダクト用プラグ装置を提供するものである。
【０００５】
本発明によれば、ライティングダクトのプラグ固定溝にプラグ装置本体を固定する回転固定体と、導電線にカム接触弾力に抗して突出端子を接触させるカム接続体とを、ライティングダクトの長手方向に離れて設けることができるから、それぞれ独立に、例えば、回転固定体は強固な固定構造に、カム接続体は突出端子の小型で確実な接続構造にそれぞれ自由に構成することができると共に、カム接続体を回転固定体の回転に伴って回転してカム接触弾力に抗して先端部の突出端子を導電線に接触するから、カム接触弾力によってカム接続体と回転固定体との連動を弾力的に確実に維持することができる。
【０００６】
また、本発明は、請求項２に記載のように、請求項１に記載のライティングダクト用プラグ装置において、カム接続体が、先端部に突出端子を有する閉脚被退方向のばね弾力を付勢した二片一対の突出端子部材の中間部に、前記カム回転軸を有することからなるライティングダクト用プラグ装置を提供するものである。
本発明によれば、カム接続体のカム回転軸を中心とする回転により、閉脚被退方向のばね弾力を付勢した二片一対の突出端子部材の先端部に設けた突出端子を導電線に簡単な構造で確実に着脱することができると共に、突出端子部材の閉脚被退方向のばね弾力に抗して突出端子を突出させる方向にカム接続体を回転することにより、カム接続体と回転固定体との連動を弾力的に確実に維持することができる。
【０００７】
また、本発明は、請求項３に記載のように、請求項１又は２に記載のライティングダクト用プラグ装置において、カム接続体のカムレバーを回転固定体の回転域に延設し、回転固定体の回転に伴ってカムレバーを回転して回転固定体の着脱と突出端子の着脱を連動せしめてなるライティングダクト用プラグ装置を提供するものである。
本発明によれば、カム接続体のカムレバーを回転固定体の回転域に延設することによって、ライティングダクトの長手方向に離れて設けた回転固定体の回転に伴ってカム接続体を簡単に連動させ、回転固定体の着脱と突出端子の着脱を同時に行うことができる。
【０００８】
また、本発明は、請求項４に記載のように、請求項１乃至３のいずれかに記載のライティングダクト用プラグ装置において、カム接続体又は回転固定体の回転域に、カム接続体又は回転固定体の回転範囲を規制するストッパを設けてなるライティングダクト用プラグ装置を提供するものである。
本発明によれば、ストッパによりカム接続体又は回転固定体の回転範囲を規制することができ、回転固定体の着脱と突出端子の着脱を確実に行うことができる。
【０００９】
また、本発明は、請求項５に記載のように、請求項１乃至４のいずれかに記載のライティングダクト用プラグ装置において、カム接続体及び突出端子部材に、回転固定部材とは独立に突出端子の突出部を除いて覆うカバー体を設けてなるライティングダクト用プラグ装置を提供するものである。
本発明によれば、電機接続を担うカム接続体及び突出端子部材を、回転固定部材とは独立に、汚れや塵埃からカバー体により保護することができる。
【００１０】
また、本発明は、請求項６に記載のように、請求項１乃至５のいずれかに記載のライティングダクト用プラグ装置において、プラグ固定回転軸の先端部に位置して回転固定体の頂部にプラグ固定回転軸を貫通して設けたアース線のアース接続端子を設けてなるライティングダクト用プラグ装置を提供するものである。
本発明によれば、導電線に接続する突出端子を有するカム接続体とはライティングダクトの長手方向において独立した回転固定体の頂部にプラグ固定回転軸を貫通して設けたアース線のアース接続端子を安全に設けることができる。
【００１１】
【発明の実施の形態】
以下図示する実施例のより本発明の実施の形態を説明する。
図において、１はプラグ装置本体で、下面２が平面状の長方形の板体の長手方向の中央一半分部に、上方に凹溝３をなす箱状のカバー体４が設けてある。
【００１２】
プラグ装置本体１の他の一半分部のほぼ中央には回転固定体１０の操作レバー１１の比較的大径の回転軸１６を嵌合する軸受孔５が設けてあり、該回転軸１６には回転固定体１０のプラグ固定回転軸１２に凸設した三角形、長方形等の多角形断面の連結軸１３を着脱自在に連結するボス穴１８が設けてあり、操作レバー１１に連動してプラグ装置本体１の上面６で回転固定体１０をプラグ固定回転軸１２を中心に回転操作できるように構成してある。
【００１３】
ライティングダクト２０は、図３に記載のように、門型の断面形状を有し、その内側に長手方向に沿って左右対称に平行して中央に導電線２１、その下部にプラグ固定溝２２を設けてあると共に、頂部中央にアース線２３を一体に設けてある。
回転固定体１０は円弧状の長径部１４を両端に有するほぼ長方形状からなり、図２、図３に記載のように、長径部１４がライティングダクト２０の長手方向に平行して開口部２５から外れる固定解除位置と、図４、図５又は図６に記載のように、その長径部１４がライティングダクト２０のプラグ固定溝２１と係合して一体に連結する固定位置との間で、ほぼ９０＆ｄｅｇ；往復回転するように構成してある。
【００１４】
また、プラグ固定回転軸１２の先端部に位置して回転固定体１０の頂部には、アース線２３と常時接続するアース接続端子１５が設けてある。図示の実施例の場合、アース接続端子１５は、前記回転固定体１０、前記操作レバー１１の回転軸心を貫通する貫通孔１９を貫通して固定した導電性のアース用ボルト・ナット１７によって回転固定体１０の回転軸心に一体に固定され、その先端部がアース線２３に接触するように構成してある。
次に、プラグ装置本体１のカバー体４の凹溝３内には、図１に記載のように、本発明に係るカム接続体３０を構成する、先端部に突出端子３２を有する閉脚被退方向のばね弾力を付勢した二股状の二片一対の突出端子部材３１が相互に絶縁状態で設けてある。
【００１５】
突出端子部材３１の先端部の突出端子３２は、カバー体４に設けた端子孔５に嵌合しており、図２に示す被退状態から、図４、図５又は図６に記載のように突出状態に移動できるように構成してある。
また、突出端子部材３１の後端部には、それぞれ接続端子３３が、図１に記載のように、凹溝３の上縁部６に左右対称にＬ字状に屈曲して一体に固定して設けてある。３４は、接続端子３３に設けた照明器具の電源ケーブル接続用の固定ネジである。
また、二股状の二片一対の突出端子部材３１の間には、適宜に隔壁３ａを設けて、相互に絶縁状態を維持するように構成してある。
【００１６】
また、二片一対の突出端子部材３１の中間部には、カバー体４の天板部中央に一体に立設したカム回転軸８が設けてあると共に、該カム回転軸８にカム接続体３０のカムレバー３５の回転中心部に設けたカム軸受穴３８が回転自在に嵌合し、カム軸受穴３８の周囲に突設したカム部３６が二片一対の突出端子部材３１の間に挟持される形で圧接し、カムレバー３５の回転に伴ってカム部３６の長径部が突出端子部材３１を押しひろげると突出端子３２が突出して導電線２１に接続し、カム部３６の短径部が突出端子部材３１を狭めると突出端子３２が被退して導電線２１から離脱するように構成してある。
【００１７】
カムレバー３５は凹溝３から下方に突出してプラグ装置本体１の下面３に接して回動すると共に、その先端部が回転固定体１０の操作レバー１１に設けた連係凹部３７に係合して、操作レバー１１の回転に伴ってカムレバー３５を回転し、回転固定体１０のプラグ固定溝２２との着脱と、カム接続体３０の突出端子３２と導電線２１との着脱を同時に連動するように構成してある。
【００１８】
また、カム部３６とカムレバー３５の間に設けたストッパ部３９は、カバー体４の内壁に当接してカム部３６及びカムレバー３５の回転範囲を規制するものである。その他、９ａ、９ｂは突出端子部材３１の接続端子３３を凹溝３の上縁部６に一体に固定するための固定枠体と固定突起で、固定枠体９ａは接続端子３３の外周部を固定し、固定突起９ｂは接続端子３３の固定用孔３３ａに嵌合して固定するように構成してある。３１ａは突出端子部材３１をカバー体４の天板部に当接させて安定化するための着座部である。
【００１９】
なお、突出端子部材３１の閉脚被退方向のばね弾力に抗して突出端子３２を突出させる方向にカムレバー３５を回転することにより、突出端子部材３２のばね弾力がカム接触弾力として作用すると共に、カムレバー３５と操作レバー１１との連係弾力として作用するから、導電線２３に接触するようになしたカム接続体３０と、プラグ固定溝２２に固定するようになした回転固定体１０との連動を弾力的に確実に維持することができる。
【００２０】
また、カム接続体３０のカムレバー３５又は回転固定体１０の操作レバー１１の回転域に、カムレバー３５又は回転固定体１０の回転範囲を規制するストッパ７を設けることにより、ストッパ７によりカムレバー３５又は回転固定体１０の回転範囲を規制すると共に回転位置で固定することができ、回転固定体１０の着脱と突出端子３２の着脱を確実に行うことができる。なお、操作レバー１１又はカムレバー３５の回転域に乗り越えストッパを設けて、レバーが乗り越えると戻り阻止方向のストッパとして作用し、再度ストッパを乗り越えないと戻らないように構成することも可能である。
【００２１】
また、プラグ装置本体１の下側には、その下面２を覆うように電源プラグ枠体４０が固定ネジ４５等により一体に取り付けられており、照明ランプ４１等を一体に有する照明器具４２を金属連結部４６等を介して懸架して取り付けることができるように構成してある。また、アース用ボルト・ナット１７の下端部は、接続部材を介して金属連結部４６に接続している。４３は電源プラグ枠体４０に設けた操作レバー１１用のガイド枠である。
【００２２】
また、図示の実施例の場合、ライティングダクト２０の下端枠部にはストッパ枠２４が設けてあり、これにプラグ装置本体１に設けたストッパ溝４４又は電源プラグ枠体４０に設けたストッパ溝４４を嵌合させて、ライティングダクト２０へのプラグ装置本体１の取り付け位置を確実にすることができる。また、この場合、図５又は図６に記載のように、ストッパ溝４４を両側に設けておくことによって、ストッパ枠２４を有するライティングダクト２０に、図７又は図８に記載のように、照明器具４２をどちらの方向へも自由に向けて取り付けることが可能である。
【００２３】
【発明の効果】
以上の通り、本発明に係るライティングダクト用プラグ装置によれば、請求項１に記載のように、長手方向に沿って左右対称に平行して導電線とプラグ固定溝とを設けたライティングダクトに対して、プラグ固定回転軸を中心に回転してプラグ固定溝に両端部が嵌合するプラグ装置本体を固定する回転固定体と、回転固定体に対して長手方向に沿って離れた位置にカム回転軸を中心に前記回転固定体の回転に伴って回転してカム接触弾力に抗して先端部の突出端子を導電線に接触するようになしたカム接続体とを設けてなる構成を有することにより、ライティングダクトのプラグ固定溝にプラグ装置本体を固定する回転固定体と、導電線にカム接触弾力に抗して突出端子を接触させるカム接続体とを、ライティングダクトの長手方向に離れて設けることができるから、それぞれ独立に、例えば、回転固定体は強固な固定構造に、カム接続体は突出端子の小型で確実な接続構造にそれぞれ自由に構成することができると共に、カム接続体を回転固定体の回転に伴って回転してカム接触弾力に抗して先端部の突出端子を導電線に接触するから、カム接触弾力によってカム接続体と回転固定体との連動を弾力的に確実に維持することができる効果がある。
【００２４】
また、本発明は、請求項２に記載のように、請求項１に記載のライティングダクト用プラグ装置において、カム接続体が、先端部に突出端子を有する閉脚被退方向のばね弾力を付勢した二片一対の突出端子部材の中間部に、前記カム回転軸を有することからなる構成を有することにより、カム接続体のカム回転軸を中心とする回転により、閉脚被退方向のばね弾力を付勢した二片一対の突出端子部材の先端部に設けた突出端子を導電線に簡単な構造で確実に着脱することができると共に、突出端子部材の閉脚被退方向のばね弾力に抗して突出端子を突出させる方向にカム接続体を回転することにより、カム接続体と回転固定体との連動を弾力的に確実に維持することができる効果がある。
【００２５】
また、本発明は、請求項３に記載のように、請求項１又は２に記載のライティングダクト用プラグ装置において、カム接続体のカムレバーを回転固定体の回転域に延設し、回転固定体の回転に伴ってカムレバーを回転して回転固定体の着脱と突出端子の着脱を連動せしめてなる構成を有することにより、カム接続体のカムレバーを回転固定体の回転域に延設することによって、ライティングダクトの長手方向に離れて設けた回転固定体の回転に伴ってカム接続体を簡単に連動させ、回転固定体の着脱と突出端子の着脱を同時に行うことができる効果がある。
【００２６】
また、本発明は、請求項４に記載のように、請求項１乃至３のいずれかに記載のライティングダクト用プラグ装置において、カム接続体又は回転固定体の回転域に、カム接続体又は回転固定体の回転範囲を規制するストッパを設けてなる構成を有することにより、ストッパによりカム接続体又は回転固定体の回転範囲を規制することができ、回転固定体の着脱と突出端子の着脱を確実に行うことができる効果がある。
【００２７】
また、本発明は、請求項５に記載のように、請求項１乃至４のいずれかに記載のライティングダクト用プラグ装置において、カム接続体及び突出端子部材に、回転固定体とは独立に突出端子の突出部を除いて覆うカバー体を設けてなる構成を有することにより、電機接続を担うカム接続体及び突出端子部材を、回転固定部材とは独立に、汚れや塵埃からカバー体により保護することができる効果がある。
【００２８】
また、本発明は、請求項６に記載のように、請求項１乃至５のいずれかに記載のライティングダクト用プラグ装置において、プラグ固定回転軸の先端部に位置して回転固定体の頂部にプラグ固定回転軸を貫通して設けたアース線のアース接続端子を設けてなる構成を有することにより、導電線に接続する突出端子を有するカム接続体とはライティングダクトの長手方向において独立した回転固定体の頂部にプラグ固定回転軸を貫通して設けたアース用部材のアース接続端子を安全に設けることができる効果がある。
【図面の簡単な説明】
【図１】本発明装置の一実施例の要部の分解斜視図。
【図２】その要部の一使用態様を示す概略斜視図。
【図３】ライティングダクトの一実施例の断面正面図。
【図４】本発明装置の一実施例の使用態様を示す断面正面図。
【図５】他の実施例の使用態様を示す断面正面図。
【図６】他の実施例の使用態様を示す断面背面図。
【図７】本発明装置の一実施例の使用態様を示す側面図。
【図８】他の実施例の使用態様を示す側面図。
【符号の説明】
１　　　プラグ装置本体
２　　　その下面
３　　　その凹溝
３ａ　　隔壁
４　　　そのカバー体
５　　　端子孔
６　　　上縁部
７　　　ストッパ
８　　　カム回転軸
９ａ　　固定枠部
９ｂ　　固定軸部
１０　　回転固定体
１１　　その操作レバー
１２　　プラグ固定回転軸
１３　　その連結軸
１４　　その長径部
１５　　アース接続端子
１６　　回転軸
１７　　アース用ボルトナット
１８　　ボス穴
１９　　貫通孔
２０　　ライティングダクト
２１　　導電線
２２　　プラグ固定溝
２３　　アース線
２４　　ストッパ枠
２５　　開口部
３０　　カム接続体
３１　　突出端子部材
３２　　突出端子
３３　　接続端子
３４　　固定ネジ
３５　　カムレバー
３６　　カム部
３７　　連結凹部
３８　　カム軸受穴
３９　　ストッパ部
４０　　電源プラグ枠体
４１　　照明ランプ
４２　　照明器具
４３　　ガイド枠
４４　　ストッパ溝
【図１】
2004095505.tif 000003
【図２】
2004095505.tif 000004
【図３】
2004095505.tif 000005
【図４】
2004095505.tif 000006
【図５】
2004095505.tif 000007
【図６】
2004095505.tif 000008
【図７】
2004095505.tif 000009
【図８】
2004095505.tif 000010